(57)【特許請求の範囲】
【請求項１】
湯沸かし用の内容器と、該内容器内の湯を給湯通路を介して給湯する電動ポンプと、給湯時にＯＮ操作される給湯キー、ロック解除時にＯＮ操作されるロック解除キー、定量給湯モードを選択する定量給湯モードキー、給湯量を設定する給湯量設定キーおよび量の表示を行う表示部を有する操作パネルとを具備した電気貯湯容器であって、前記ロック解除キーをＯＮ操作した後で前記給湯量設定キーを操作した場合には定量給湯モードが優先選択され、前記表示部に設定給湯量を表示するように構成したことを特徴とする電気貯湯容器。
【請求項２】
湯沸かし用の内容器と、該内容器内の湯を給湯通路を介して給湯する電動ポンプと、給湯時にＯＮ操作される給湯キー、ロック解除時にＯＮ操作されるロック解除キー、定量給湯モードを選択する定量給湯モードキー、給湯量を設定する給湯量設定キーおよび量の表示を行う表示部を有する操作パネルとを具備した電気貯湯容器であって、前記給湯量設定キーを操作中に前記定量給湯モードキーを操作した場合には、設定中の給湯量はリセットされ且つ前記定量給湯モードキーに付与された他のモードが選択されるように構成したことを特徴とする電気貯湯容器。
【請求項３】
湯沸かし用の内容器と、該内容器内の湯を給湯通路を介して給湯する電動ポンプと、給湯時にＯＮ操作される給湯キー、ロック解除時にＯＮ操作されるロック解除キー、給湯量を設定する給湯量設定キーおよび量の表示を行う表示部を有する操作パネルとを具備した電気貯湯容器であって、前記ロック解除キーをＯＮ操作した後で前記給湯量設定キーを操作した場合には定量給湯モードが優先選択され、前記表示部には、設定給湯量が表示されるように構成したことを特徴とする電気貯湯容器。
【請求項４】
湯沸かし用の内容器と、該内容器内の湯を給湯通路を介して給湯する電動ポンプと、給湯時にＯＮ操作される給湯キー、ロック解除時にＯＮ操作されるロック解除キー、定量給湯モードを選択する定量給湯モードキー、給湯量を設定する給湯量設定キーおよび量の表示を行う表示部を有する操作パネルとを具備した電気貯湯容器であって、前記定量給湯モードキー、前記給湯量設定キー、前記ロック解除キーおよび前記給湯キーを順次ＯＮ操作することにより定量給湯可状態を現出する通常操作ルートと、前記ロック解除キー、前記給湯量設定キーおよび前記給湯キーを順次ＯＮ操作することにより定量給湯可状態を現出する早道操作ルートとのどちらでも選択できるように構成したことを特徴とする電気貯湯容器。
【発明の詳細な説明】
【０００１】
【発明の属する技術分野】
【０００２】
本願発明は、電気ポット等として使用される電気貯湯容器に関し、さらに詳しくは定量給湯機能を具備した電気貯湯容器に関するものである。
【従来の技術】
【０００３】
湯沸かし用の内容器と、該内容器内の湯を給湯通路を介して給湯する電動ポンプとを備え、予め設定された給湯量だけ給湯できるようにした定量給湯タイプの電気貯湯容器は、従来から良く知られている。
【０００４】
ところで、上記構成の電気貯湯容器においては、量（例えば、時間、温度、給湯量等）の設定を行う必要のある機能としては、（１）おやすみタイマ機能、（２）キッチンタイマ機能、（３）定量給湯機能、（４）保温温度選択機能というように多数存在しており、これらの機能に対応する数だけのキー類が操作パネルに設けられることなっている。
【発明が解決しようとする課題】
【０００５】
ところが、これらの機能を使用する際には、どの操作キーがどの機能に対応しているかを覚えておくか、取り扱い説明書等を確認するか、または試しに押してみるか、といった方法が取られており、使い勝手が悪く不便であった。
【０００６】
本願発明は、上記の点に鑑みてなされたもので、複数の機能（例えば、量に関する複数の機能）を一つのキーの操作により選択できるようにし、もって操作性の向上とコストダウンとを図ることを目的とするものである。
【課題を解決するための手段】
【０００７】
請求項１の発明では、上記課題を解決するための手段として、湯沸かし用の内容器と、該内容器内の湯を給湯通路を介して給湯する電動ポンプと、給湯時にＯＮ操作される給湯キー、ロック解除時にＯＮ操作されるロック解除キー、定量給湯モードを選択する定量給湯モードキー、給湯量を設定する給湯量設定キーおよび量の表示を行う表示部を有する操作パネルとを具備した電気貯湯容器において、前記ロック解除キーをＯＮ操作した後で前記給湯量設定キーを操作した場合には定量給湯モードが優先選択され、前記表示部に設定給湯量を表示するように構成している。
【０００８】
上記のように構成したことにより、定量給湯モードキーによる定量キーモードの選択が可能となるとともに、ロック解除キーと給湯量設定キーとの併用により定量給湯モードキーとして機能させることができることとなり、キーの数を低減でき、操作性の向上とコストダウンとを図ることができるとともに、定量給湯モードが選択されたことを表示部への表示により確認できることとなり、使い勝手が良くなる。
【０００９】
請求項２の発明では、上記課題を解決するための手段として、湯沸かし用の内容器と、該内容器内の湯を給湯通路を介して給湯する電動ポンプと、給湯時にＯＮ操作される給湯キー、ロック解除時にＯＮ操作されるロック解除キー、定量給湯モードを選択する定量給湯モードキー、給湯量を設定する給湯量設定キーおよび量の表示を行う表示部を有する操作パネルとを具備した電気貯湯容器において、前記給湯量設定キーを操作中に前記定量給湯モードキーを操作した場合には、設定中の給湯量はリセットされ且つ前記定量給湯モードキーに付与された他のモードが選択されるように構成している。
【００１０】
上記のように構成したことにより、給湯量設定キーと定量給湯モードキーとの併用により定量給湯モードキーに付与された他のモードを選択することができる。
【００１１】
請求項３の発明では、上記課題を解決するための手段として、湯沸かし用の内容器と、該内容器内の湯を給湯通路を介して給湯する電動ポンプと、給湯時にＯＮ操作される給湯キー、ロック解除時にＯＮ操作されるロック解除キー、給湯量を設定する給湯量設定キーおよび量の表示を行う表示部を有する操作パネルとを具備した電気貯湯容器において、前記ロック解除キーをＯＮ操作した後で前記給湯量設定キーを操作した場合には定量給湯モードが優先選択され、前記表示部には、設定給湯量が表示されるように構成している。
【００１２】
上記のように構成したことにより、ロック解除キーと給湯量設定キーとの併用により定量給湯モードキーとして機能させることができることとなり、キーの数を低減でき、操作性の向上とコストダウンとを図ることができるとともに、定量給湯モードが選択されたことを表示部への表示により確認できることとなり、使い勝手が良くなる。
【００１３】
請求項４の発明では、上記課題を解決するための手段として、湯沸かし用の内容器と、該内容器内の湯を給湯通路を介して給湯する電動ポンプと、給湯時にＯＮ操作される給湯キー、ロック解除時にＯＮ操作されるロック解除キー、定量給湯モードを選択する定量給湯モードキー、給湯量を設定する給湯量設定キーおよび量の表示を行う表示部を有する操作パネルとを具備した電気貯湯容器において、前記定量給湯モードキー、前記給湯量設定キー、前記ロック解除キーおよび前記給湯キーを順次ＯＮ操作することにより定量給湯可状態を現出する通常操作ルートと、前記ロック解除キー、前記給湯量設定キーおよび前記給湯キーを順次ＯＮ操作することにより定量給湯可状態を現出する早道操作ルートとのどちらでも選択できるように構成している。
【００１４】
上記のように構成したことにより、定量給湯モードキー、給湯量設定キー、ロック解除キーおよび給湯キーを順次ＯＮ操作する通常操作ルートと、ロック解除キー、給湯量設定キーおよび給湯キーを順次ＯＮ操作する早道操作ルートとのいずれによっても定量給湯モードの選択が可能となり、使い勝手がよくなる。
【発明の実施の形態】
【００１５】
以下、添付の図面を参照して、本願発明の幾つかの好適な実施の形態について詳述する。
【００１６】
第１の実施の形態
図１ないし図６には、本願発明の第１の実施の形態にかかる電気貯湯容器が示されている。
【００１７】
この電気貯湯容器は、図１および図２に示すように、貯湯用の内容器３を備えた容器本体１と、該容器本体１を開閉する蓋体２と、前記内容器３を加熱する加熱手段である電気ヒータ４と、前記内容器３内の湯を外部へ給湯するための給湯通路５と、該給湯通路５を介して湯を送り出す電動ポンプ６とを備えて構成されている。
【００１８】
前記容器本体１は、外側面を構成する合成樹脂製の外ケース７と、内周面を構成する前記内容器３と、前記外ケース７と内容器３とを結合する合成樹脂製の環状の肩部材８と、底面を構成する合成樹脂製の底板９とからなっている。
【００１９】
前記内容器３は、ステンレス製の有底円筒形状の内筒１０とステンレス製の外筒１１との間に真空空間を有する真空二重構造体からなっており、その底部には、外周部を除いて前記内筒１０の底部のみにより構成された１枚板部３ａが形成されている。該１枚板部３ａの下面には、前記電気ヒータ４（例えば、雲母板に発熱体を保持させてなるマイカヒータ）が取り付けられている。前記内容器３の上端部には、前記内筒１０の上端部を絞り加工してなる小径の給水口３ｂが形成されている。符号１２は内容器３の温度（換言すれば、湯温）を検出する湯温検出手段として作用する温度センサー、１３は内容器３の満水位を表示する満水位表示部である。
【００２０】
前記蓋体２は、合成樹脂製の上板１４と該上板１４に対して外周縁が結合された合成樹脂製の下板１５とからなっており、前記肩部材８の後部に設けられたヒンジ受け１６に対してヒンジピン１７を介して開閉自在且つ着脱自在に支持されている。
【００２１】
また、この蓋体２には、電源が接続されていない状態でも給湯通路５を介しての給湯が可能なように、手動操作により駆動されるエアーポンプ１８が配設されている。該エアーポンプ１８は、前記蓋体２の略中央部に形成された円筒形状の凹部１９内に配設されたベローズタイプのものとされており、押圧板２０を介しての押圧操作により加圧空気が内容器３内に吹き込まれ、該加圧空気の圧力により内容器３内のお湯が給湯通路５を介して外部へ押し出されることとなっている。符号２１は蒸気排出通路、２２は蒸気排出通路２１の途中に配設された転倒止水弁である。
【００２２】
前記蓋体２における下板１５には、金属製のカバー部材２３が固定されており、該カバー部材２３の外周縁には、蓋体２の閉蓋時において前記内容器３の給水口３ｂに圧接されるシールパッキン２４が設けられている。
【００２３】
前記給湯通路５の途中である前記内容器３の下方位置には、前記電動ポンプ６が配設されており、この給湯通路５において内容器３における満水位表示部１３より下方となる直管部５ａには、該給湯通路５を通るお湯の流量を測定するための流量測定手段として作用する流量センサー２５が設けられている。
【００２４】
該流量センサー２５は、図３および図４に示すように、前記給湯通路５の途中の直管部５ａに設けられた透明なガラス管２６と、該ガラス管２６内において回転自在に枢支された回転体２７と、該回転体２７の回転数を検出する光センサー２８とからなっている。
【００２５】
前記回転体２７は、前記給湯通路直管部５ａ内において前記ガラス管２６を挟むようにして上下設けられた軸受２９，２９に対して軸支された回転軸３０にボス２７ａを遊嵌することにより回転自在に支持されるものであり、図５に示すように、給湯通路５を通るお湯の圧力を受ける３枚の駆動羽根３１，３１，３１と、該駆動羽根３１，３１，３１の上方であって前記光センサー２８の発光素子２８ａから受光素子２８ｂへの光の照射を遮断する一対の遮光羽根３２，３２とを備えて構成されている。該遮光羽根３２，３２は、前記ボス２７ａの外周に対して直角に立設された四角羽根とされている。
【００２６】
前記光センサー２８は、前記ガラス管２６の外側であって前記回転体２７におけるボス２７ａを避けた位置において発光素子２８ａから受光素子２８ｂへ光が照射されるように構成されており、回転体２７における遮光羽根３２，３２により発光素子２８ａから受光素子２８ｂへの光の照射が遮断される回数を測定することにより回転体２７の回転数が測定できるようになっている。前記発光素子２８ａおよび受光素子２８ｂは、前記ガラス管２６の外周に取り付けられ、着脱自在なセンサーカバー３４により閉蓋された箱状のセンサーホルダ３３内に保持されている。なお、本実施の形態においては、回転体２７における遮光羽根３２，３２は、光センサー２８における発光素子２８ａと受光素子２８ｂとの間に常時位置せしめられることとなっている。
【００２７】
図１において、符号３５は後述する各種キー類を備えた操作パネル部、３６はスイッチ基板、３７は前記電動ポンプ６を駆動させる駆動電源回路を備えた電源基板である。
【００２８】
前記操作パネル部３５には、図２に示すように、給湯キー３８、ロック解除キー３９、沸騰／カルキ抜きキー４０、保温選択キー４１、定量給湯モードキー４２、給湯量設定キー４３，４４、給湯表示灯４５、沸騰表示灯４６、保温表示灯４７、表示部として作用する液晶表示装置４８が設けられている。ここで、定量給湯モードキー４２、給湯量設定キー４３，４４、ロック解除キー３９および給湯キー３８は、左から右に順次配列されている。
【００２９】
前記定量給湯モードキー４２には、本来の機能である定量モード選択機能に加えて、時間および温度等の量の設定を行う機能（例えば、キッチンタイマとしての機能、おやすみタイマとしての機能、保温温度設定機能）が付与されている。つまり、定量給湯モードキー４２の操作回数によって、定量給湯モードの選択→キッチンタイマの設定→おやすみタイマの設定→保温温度の設定→定量給湯モードの選択の順で機能選択されることとなっているのである。
【００３０】
また、前記給湯量設定キー４３，４４は、本来の給湯量である設定給湯量の設定変更を行う際にも操作されるが、キッチンタイマやおやすみタイマの時間設定変更の際および保温温度の設定変更を行う際にも操作される。
【００３１】
図６は、本実施の形態にかかる電気貯湯容器における制御系の構成を示すブロック図であり、マイクロコンピュータユニット（以下、マイコンという）４９には、前記各種キー類３８〜４４、温度センサー１２および流量センサー２５からの信号が入力され、各種演算処理を行い、その結果が制御信号として電気ヒータ４、電動ポンプ６、液晶表示装置４８およびブザー５０に出力されることとなっている。
【００３２】
通常給湯時および定量給湯時には、上記各種キー類および各種表示灯は、以下のように操作され且つ表示される。
【００３３】
（１）  通常給湯
ロック解除キー３９を押すと、給湯表示灯４５が点灯し、給湯キー３８を押すと、通常の電動給湯が可能となるようになっている。
【００３４】
（２）  定量給湯Ｉ（通常操作ルート）
図７に示すフローチャートを参照して、定量給湯Ｉ（通常操作ルート）について説明する。
【００３５】
ステップＳ１において定量給湯モードキー４２がＯＮ操作されたと判定されると、ステップＳ２において給湯表示灯４５が点滅され、ステップＳ３において前回設定された給湯量が液晶表示装置４８の時刻／時刻表示部に優先表示される。ついで、ステップＳ４において給湯量増設定キー４３がＯＮ操作されたか否かの判定がなされ、ここで肯定判定された場合には、ステップＳ５において設定給湯量が増量され、ステップＳ４において否定判定された場合には、ステップＳ６において給湯量減設定キー４４がＯＮ操作されたか否かの判定がなされ、ここで肯定判定された場合には、ステップＳ７において設定給湯量が減量される。つまり、必要に応じて給湯量設定キー４３，４４を操作して表示された給湯量を増減変更するのである。その後、ステップＳ８においてロック解除キー３９がＯＮ操作されたと判定され、その後ステップＳ９において給湯キー３８がＯＮ操作されたと判定されると、ステップＳ１０において定量給湯動作が実行される。この定量給湯動作の実行により、液晶表示装置４８に表示されている定量給湯量表示が給湯とともに自動的に減算され、０ｍｌになると、給湯が自動停止される。この間、給湯キー３９は押し続けられる。なお、ステップＳ８において否定判定され、あるいはステップＳ９において否定判定された場合であって、ステップＳ１１において２０秒が経過したと判定されると、ステップＳ１２において液晶表示装置４８における表示が消灯され、ステップＳ１３において給湯表示灯４５が消灯される。
【００３６】
上記定量給湯Ｉ（通常操作ルート）におけるキー操作は、定量給湯モードキー４２→給湯量設定キー４３，４４→ロック解除キー３９→給湯キー３８の順で左から右へナビゲートされた一方向となり、右利きのユーザにとって操作性が向上するとともに、操作ミスを減少させることもできる。しかも、定量給湯モードキー４２により定量給湯モードが選択されたときには、液晶表示装置４８に設定給湯量として前回設定された給湯量が優先表示されることとなっているため、定量給湯モードが選択されたことを液晶表示装置４８への表示により確認できるとともに、前回と同一の給湯量を必要とする使用形態時には設定給湯量の増減を行う必要がなくなり、使い勝手がよくなる。
【００３７】
（３）  定量給湯ＩＩ（早道操作ルート）
図８に示すフローチャートを参照して、定量給湯ＩＩ（早道操作ルート）について説明する。
【００３８】
ステップＳ１においてロック解除キー３９がＯＮ操作されて、ロック解除状態にあるとき、ステップＳ２において定量給湯モードキー４２がＯＮ操作されて定量給湯モードが選択されたか否かの判定がなされ、ここで肯定判定された場合には、ステップＳ３において定量給湯モードとされ、前記した通常操作ルートに従って定量給湯が実行される。一方、ステップＳ２において否定判定された場合には、ステップＳ４において通常給湯モードとされるが、ステップＳ５において給湯量設定キー４３，４４からの入力があったか否かの判定がなされ、ここで肯定判定された場合には、ステップＳ３において定量給湯モードとされ、前記した通常操作ルートに従って定量給湯が実行される。一方、ステップＳ５において否定判定された場合には、ステップＳ６において定量給湯モードキー４２がＯＮ操作されて定量給湯モードが選択されたか否かの判定がなされ、ここで肯定判定された場合には、ステップＳ３において定量給湯モードとされ、前記した通常操作ルートに従って定量給湯が実行されるが、否定判定された場合には、ステップＳ７において通常給湯モードが確定される。
【００３９】
つまり、ロック解除キー３９→給湯量設定キー４３，４４→給湯キー３８の順でキー操作することにより、定量給湯モードが優先選択されることとなっているのである。従って、上記した通常操作ルートに比べてキー操作が１個分だけ少ない早道操作ルートとなるのである。この場合にも、定量給湯モードが選択された場合には、液晶表示装置４８に設定給湯量（前回設定された給湯量）が表示される。
【００４０】
このようにすると、ロック解除キー３９と給湯量設定キー４３，４４との併用により定量給湯モードキーとして機能させることができることとなり、キーの数を低減でき、操作性の向上とコストダウンとを図ることができるとともに、定量給湯モードが選択されたことを液晶表示装置４８への表示により確認できることとなり、使い勝手が良くなる。
【００４１】
（４）  モード移行制御
図９に示すフローチャートを参照して、モード移行制御について説明する。
【００４２】
ステップＳ１において給湯量設定キー４３，４４による設定給湯量の増減が入力されると、ステップＳ２において定量給湯モードキー４２のＯＮ操作により定量給湯モードが選択されたか否かの判定がなされ、ここで肯定判定された場合には、ステップＳ３において設定給湯量の増減変更がなされるが、否定判定された場合には、ステップＳ４においてキッチンタイマモードが選択中であるか否か（即ち、定量給湯モードキー４２が２回ＯＮ操作されたか否か）の判定がなされ、ここで、肯定判定された場合には、ステップＳ５においてキッチンタイマの時間が変更されるが、否定判定された場合には、ステップＳ６において給湯量設定キー４３，４４によるキー入力が無効とされる。つまり、定量給湯モードキー４２によって定量給湯モードもキッチンタイマモードも選択されていない場合には、安全面を考慮して給湯量設定キー４３，４４によるキー入力が無効とされることとなっているのである。
【００４３】
一方、ステップＳ３において設定給湯量が変更されている間に（換言すれば、給湯量設定キー４３，４４によるキー入力中に）、ステップＳ７において定量給湯モードキー４２による入力があったか否かの判定がなされ、ここで、肯定判定された場合には、ステップＳ８において設定中の給湯量はキャンセルされ、ステップＳ９において定量給湯モードキー４２のＯＮ操作により選択される他のモード（例えば、キッチンタイマモード）に移行される。
【００４４】
このようにすると、給湯量設定キー４３，４４を操作中に定量給湯モードキー４２を操作した場合には、設定中の給湯量はリセットされ且つ前記定量給湯モードキー４２に付与された他のモードが選択されることとなり、給湯量設定キー４３，４４と定量給湯モードキー４２との併用により定量給湯モードキー４２に付与された他のモードを選択することができるのである。
【００４５】
ところで、本実施の形態においては、定量給湯モードキー４２に保温温度設定機能が付与されているので、定量給湯モードキー４２によって保温温度設定モードを選択した状態で、給湯量設定キー４３，４４を操作すると、給湯量設定キー４３，４４の１回の操作により保温設定温度を１℃単位で変更できるようになっている。このようにすると、従来のように、高温と低温の２種類の保温設定温度しか選択できなかったものに比べて、１℃単位で保温設定温度が設定できるので便利ではあるが、反面、ユーザが何度に設定したらよいのか悩む場合も生じる。そこで、主要な使用例（換言すれば、使用頻度の高いもの）として、調乳：５５〜６０℃、煎茶：７９〜８１℃、コーヒー：９５〜９８℃、調理：９８℃を予め設定しておき、上記温度範囲に設定した場合には、液晶表示装置４８に当該使用例を表示するようにしている。
【００４６】
例えば、図１０（イ）に示すように、保温設定温度を７８℃に設定した場合、上記使用例のいずれにも該当しないところから、液晶表示装置４８には保温温度７８のみが表示されるが、図１０（ロ）に示すように、給湯量増設定キー４３を１回操作して保温設定温度を７９℃に設定すると、液晶表示装置４８に「煎茶」が点灯表示される。また、図１０（ハ）および（ニ）に示すように、給湯量増設定キー４３をさらに操作して保温設定温度を８０℃および８１℃に設定しても、液晶表示装置４８に「煎茶」が継続して点灯表示されるが、図１０（ホ）に示すように、給湯量増設定キー４３を操作して保温設定温度を８２℃に設定すると、上記使用例のいずれにも該当しないところから、「煎茶」が消灯され、液晶表示装置４８には保温温度８２のみが表示される。
【００４７】
このようにすると、設定された保温温度がいずれの使用例に最適なものであるかを液晶表示装置４８への表示で認識できることとなり、ユーザが何度に設定したらよいのか悩むことがなくなる。
【００４８】
第２の実施の形態
図１１には、本願発明の第２の実施の形態にかかる電気貯湯容器における定量給湯選択制御のフローチャートが示されている。
【００４９】
この場合、定量給湯量は、通常給湯動作で使用されるロック解除キー３９を通常給湯より長く（例えば、２秒間）ＯＮ操作することで設定できるようになっている。
【００５０】
次に、図１１のフローチャートを参照して、本実施の形態にかかる電気貯湯容器における定量給湯選択制御について説明する。
【００５１】
ステップＳ１においてロック解除キー３９がＯＮ操作され、ステップＳ２において２秒が経過したと判定される前にロック解除キー３９から手が離された場合には、ステップＳ３において通常給湯モードが選択されるが、ステップＳ２において２秒が経過したと判定されると、ステップＳ４において給湯表示灯４５が点滅されて定量給湯可能状態にあることをユーザに知らせ、ステップＳ５において設定給湯量が液晶表示装置４８に表示される。ここで表示される設定給湯量としては、その後の変更が容易なように使用頻度の高いもの（例えば、前回設定された給湯量）が選ばれる。
【００５２】
ついで、ステップＳ６において給湯量増設定キー４３がＯＮ操作されたと判定されると、ステップＳ７において設定給湯量が所定量（例えば、１０ｍｌ）だけ増量されるが、ステップＳ６において否定判定された場合には、ステップＳ８において給湯量減設定キー４４がＯＮ操作されたか否かの判定がなされ、ここで、肯定判定された場合には、ステップＳ９において設定給湯量が所定量（例えば、１０ｍｌ）だけ減量される。ステップＳ８において否定判定された場合には、ステップＳ１０において給湯キー３８がＯＮ操作されたか否かの判定がなされ、ここで、肯定判定された場合には、ステップＳ１１において定量給湯動作が実行されるが、ステップＳ１０において否定判定された場合であって、ステップＳ１２においてロック解除キー３９がロック状態に復帰するに要する時間である２０秒が経過したと判定された場合には、ステップＳ１３において液晶表示装置４８の給湯量表示が消灯され、ステップＳ１４において給湯表示灯４５が消灯される。
【００５３】
その他の構成および作用効果は、第１の実施の形態におけると同様なので説明を省略する。
【００５４】
第３の実施の形態
図１２には、本願発明の第３の実施の形態にかかる電気貯湯容器における定量給湯選択制御のフローチャートが示されている。
【００５５】
この場合、通常給湯モードで給湯終了後、自動ロック状態になるまでの間に給湯量設定キー４３，４４を操作すると、定量給湯モードが選択されるようになっている。
【００５６】
次に、図１２のフローチャートを参照して、本実施の形態にかかる電気貯湯容器における定量給湯選択制御について説明する。
【００５７】
ステップＳ１において通常給湯モードによる給湯が実行され、ステップＳ２において給湯キー３８がＯＮ操作されなかったと判定された場合には、ステップＳ３において設定給湯量が液晶表示装置４８に表示され、ステップＳ４において給湯表示灯４５が点滅される。
【００５８】
この状態のもとに、ステップＳ５およびステップＳ６において給湯量増設定キー４３および給湯量減設定キー４４がＯＮ操作されたと判定されると、ステップＳ７において定量給湯モードが選択され且つ実行される。そして、ステップＳ８において給湯量増設定キー４３がＯＮ操作されたと判定されると、ステップＳ９において設定給湯量が所定量（例えば、１０ｍｌ）だけ増量されるが、ステップＳ８において否定判定された場合には、ステップＳ１０において給湯量減設定キー４４がＯＮ操作されたか否かの判定がなされ、ここで、肯定判定された場合には、ステップＳ１１において設定給湯量が所定量（例えば、１０ｍｌ）だけ減量される。
【００５９】
ステップＳ５およびステップＳ６において否定判定された場合であって、ステップＳ１２においてロック解除キー３９がロック状態に復帰するに要する時間である２０秒が経過したと判定された場合には、ステップＳ１３において液晶表示装置４８の給湯量表示が消灯され、ステップＳ１４において給湯表示灯４５が消灯される。
【００６０】
その他の構成および作用効果は、第１の実施の形態におけると同様なので説明を省略する。
【００６１】
上記各実施の形態において、ユーザが定量給湯機能と通常給湯機能とを支障なく使用することが可能なように、以下のような表示を行う場合がある。
（１）  液晶表示装置４８の裏側に発光ダイオードをバックライトとして配置し、定量給湯選択時にロック解除キー３９をＯＮ操作した時と通常給湯選択時にロック解除キー３９をＯＮ操作した時とで液晶を異なる色（例えば、青→赤）で光らせることにより、区別を明確化するようにしてもよい。
（２）  上記の液晶バックライトの代わりにロック解除用の発光ダイオードを用いて区別を行うようにしてもよい。
【００６２】
また、液晶表示装置４８における７セグメント表示は、
（１）湯温（０℃〜１００℃）
（２）沸騰残時間（０〜４０分）
（３）おやすみタイマ（０〜１２時間）
（４）キッチンタイマ（０〜６０分）
で７セグメントでの表示は二つ（桁）（１００℃のみ１セグメントで表示）で良かったが、定量給湯機能・給湯量表示機能（０〜１０００ｍｌ）が入ると、通常では７セグメントでの表示は、三つ（桁）必要であり、１桁分コストアップとなる。そこで、コストアップを最小限に抑えるために、給湯量表示を１０ｍｌ単位とし、液晶表示最小桁を０で固定とすることにより、７セグメント増加でなく、１セグメントの増加のみにとどめるようにしてもよい。
【００６３】
また、定量給湯使用中において確実に給湯が自動停止するかどうかユーザに不安を与えないために、残りの給湯量が所定の値に達すると前と後で表示を変えるようにしてもよい。
【００６４】
例えば、（１）前→液晶バックライト青、後→液晶バックライト赤
（２）前→ロック解除用発光ダイオード青、後→ロック解除用発光ダ                イオード赤
（３）前→液晶給湯量表示点灯変化、後→液晶給湯量表示点滅変化
（４）前→報知なし、後→１０ｍｌ給湯毎にブザー報知
【発明の効果】
【００６５】
請求項１の発明によれば、湯沸かし用の内容器と、該内容器内の湯を給湯通路を介して給湯する電動ポンプと、給湯時にＯＮ操作される給湯キー、ロック解除時にＯＮ操作されるロック解除キー、定量給湯モードを選択する定量給湯モードキー、給湯量を設定する給湯量設定キーおよび量の表示を行う表示部を有する操作パネルとを具備した電気貯湯容器において、前記ロック解除キーをＯＮ操作した後で前記給湯量設定キーを操作した場合には定量給湯モードが優先選択され、前記表示部に設定給湯量を表示するように構成して、定量給湯モードキーによる定量キーモードの選択が可能となるとともに、ロック解除キーと給湯量設定キーとの併用により定量給湯モードキーとして機能させることができるようにしたので、キーの数を低減でき、操作性の向上とコストダウンとを図ることができるとともに、定量給湯モードが選択されたことを表示部への表示により確認できることとなり、使い勝手が良くなるという効果がある。
【００６６】
請求項２の発明によれば、湯沸かし用の内容器と、該内容器内の湯を給湯通路を介して給湯する電動ポンプと、給湯時にＯＮ操作される給湯キー、ロック解除時にＯＮ操作されるロック解除キー、定量給湯モードを選択する定量給湯モードキー、給湯量を設定する給湯量設定キーおよび量の表示を行う表示部を有する操作パネルとを具備した電気貯湯容器において、前記給湯量設定キーを操作中に前記定量給湯モードキーを操作した場合には、設定中の給湯量はリセットされ且つ前記定量給湯モードキーに付与された他のモードが選択されるように構成して、定量給湯モードキーによる定量キーモードの選択が可能となるとともに、給湯量設定キーと定量給湯モードキーとの併用により定量給湯モードキーに付与された他のモードを選択することができるようにしたので、キーの数を低減でき、操作性の向上とコストダウンとを図ることができるという効果がある。
【００６７】
請求項３の発明によれば、湯沸かし用の内容器と、該内容器内の湯を給湯通路を介して給湯する電動ポンプと、給湯時にＯＮ操作される給湯キー、ロック解除時にＯＮ操作されるロック解除キー、給湯量を設定する給湯量設定キーおよび量の表示を行う表示部を有する操作パネルとを具備した電気貯湯容器において、前記ロック解除キーをＯＮ操作した後で前記給湯量設定キーを操作した場合には定量給湯モードが優先選択され、前記表示部には、設定給湯量が表示されるように構成して、ロック解除キーと給湯量設定キーとの併用により定量給湯モードキーとして機能させることができるようにしたので、キーの数を低減でき、操作性の向上とコストダウンとを図ることができるとともに、定量給湯モードが選択されたことを表示部への表示により確認できることとなり、使い勝手が良くなるという効果がある。
【００６８】
請求項４の発明によれば、湯沸かし用の内容器と、該内容器内の湯を給湯通路を介して給湯する電動ポンプと、給湯時にＯＮ操作される給湯キー、ロック解除時にＯＮ操作されるロック解除キー、定量給湯モードを選択する定量給湯モードキー、給湯量を設定する給湯量設定キーおよび量の表示を行う表示部を有する操作パネルとを具備した電気貯湯容器において、前記定量給湯モードキー、前記給湯量設定キー、前記ロック解除キーおよび前記給湯キーを順次ＯＮ操作することにより定量給湯可状態を現出する通常操作ルートと、前記ロック解除キー、前記給湯量設定キーおよび前記給湯キーを順次ＯＮ操作することにより定量給湯可状態を現出する早道操作ルートとのどちらでも選択できるように構成しているので、通常操作ルートと早道操作ルートとのいずれによっても定量給湯モードの選択が可能となり、使い勝手がよくなるという効果がある。
【図面の簡単な説明】
【図１】  本願発明の第１の実施の形態にかかる電気貯湯容器の縦断面図である。
【図２】  本願発明の第１の実施の形態にかかる電気貯湯容器における操作パネル部の平面図である。
【図３】  本願発明の第１の実施の形態にかかる電気貯湯容器における流量センサーの拡大縦断側面図である。
【図４】  本願発明の第１の実施の形態にかかる電気貯湯容器における流量センサーの拡大横断平面図である。
【図５】  本願発明の第１の実施の形態にかかる電気貯湯容器における流量センサーの構成部品である回転体を示し、（イ）は側面図、（ロ）は平面図である。
【図６】  本願発明の第１の実施の形態にかかる電気貯湯容器における制御系のブロック図である。
【図７】  本願発明の第１の実施の形態にかかる電気貯湯容器における定量給湯Ｉ選択時の制御の内容を示すフローチャートである。
【図８】  本願発明の第１の実施の形態にかかる電気貯湯容器における定量給湯ＩＩ選択時の制御の内容を示すフローチャートである。
【図９】  本願発明の第１の実施の形態にかかる電気貯湯容器におけるモード移行時の制御の内容を示すフローチャートである。
【図１０】  （イ）〜（ホ）は本願発明の第１の実施の形態にかかる電気貯湯容器における液晶表示の例を示す図である。
【図１１】  本願発明の第２の実施の形態にかかる電気貯湯容器における定量給湯選択時の制御の内容を示すフローチャートである。
【図１２】  本願発明の第３の実施の形態にかかる電気貯湯容器における定量給湯選択時の制御の内容を示すフローチャートである。
【符号の説明】
１は容器本体、２は蓋体、３は内容器、４は加熱手段（電気ヒータ）、５は給湯通路、６は電動ポンプ、３５は操作パネル、３８は給湯キー、３９はロック解除キー、４２は定量給湯モードキー、４３，４４は給湯量設定キー、４８は液晶表示装置、４９はマイコン。
【図１】
0003755421.tif 000002
【図２】
0003755421.tif 000003
【図３】
0003755421.tif 000004
【図４】
0003755421.tif 000005
【図５】
0003755421.tif 000006
【図６】
0003755421.tif 000007
【図７】
0003755421.tif 000008
【図８】
0003755421.tif 000009
【図９】
0003755421.tif 000010
【図１０】
0003755421.tif 000011
【図１１】
0003755421.tif 000012
【図１２】
0003755421.tif 000013